(57)【要約】【課題】  生ゴミ等の汚れ物であっても手を汚しにくく、容易に且つ確実に閉じることができるようにする。【解決手段】  袋の開口部に近い位置の表面側及び裏面側に横方向の切れ目をそれぞれ設けて手提げ部を形成し、その手提げ部の片側又は両側の端部に手で切断又は切除して手提げ部の片端部を袋の側縁から切り離すことができる切り離し部を設け、さらにその片側又は両側の切り離し部の下方に手で切断又は切除して前記切り離し部で切り離した手提げ部の切離し端部を通すことができる通し部を設ける。開口部を閉じる場合は、切り離し部で手提げ部の片側を切り離し、この手提げ部の切離し端部を通し部に通して引っ張ると、開口部が手提げ部によって自然に絞られて閉じられる。【選択図】  図１
2014019515.tif 000002
【特許請求の範囲】
【請求項１】
袋の開口部に近い位置の表面側及び裏面側に横方向の切れ目をそれぞれ設けて手提げ部を形成し、その手提げ部の片側又は両側の端部に手で切断又は切除して手提げ部の片側を袋の側縁から切り離すことができる切り離し部を設け、さらにその片側又は両側の切り離し部の下方に手で切断又は切除して前記切り離し部で切り離した手提げ部の切離し端部を通すことができる通し部を設けた、収納袋。
【請求項２】
切り離し部が、ミシン目、又は切れ目、又はミシン目で一部を切り取り可能にしたものである、請求項１記載の収納袋。
【請求項３】
通し部が、通し穴、又はミシン目、又は切れ目、又はミシン目で一部を切り取って通し穴にできるものである、請求項１又は２記載の収納袋。
【請求項４】
手提げ部を形成する切れ目の両端部にその切れ目と連通する円状の切抜部を形成した、請求項１〜３いずれか記載の収納袋。
【請求項５】
２本の手提げ部が重なっている同じ位置に開口部を開きやすくする小穴をそれぞれ形成した、請求項１〜４いずれか記載の収納袋。
【請求項６】
請求項１〜５いずれか記載の収納袋が、ゴミの収納に用いられるものである、ゴミ収納袋。
【発明の詳細な説明】
【技術分野】
【０００１】
本発明は、ゴミや物品を収納するための収納袋に関する。
【背景技術】
【０００２】
従来のゴミ収納袋は、ゴミを投入後、その開口部の縁を強く引っ張って結んでおり、手間や力を要していた。特に、残飯等の生ゴミの収納に用いる場合は、結ぶ際に引っ張った開口部に生ゴミが付着し、結び目で手を汚すことがあった。
【０００３】
これに対し、開口部を引っ張ることなく閉じることができるゴミ収納袋が特許文献１で提案されている。この技術は、袋の開口部に近い位置に開口部の端部から横方向に沿ってミシン目を途中まで設けたことを特徴とし、閉じる際にミシン目に沿って切ると、開口部と繋がった紐体が形成され、その紐体で開口部を容易に縛ることができる、というものである。
【０００４】
しかし、前記技術では、紐体で縛る際に開口部を絞っておく必要があるから、一方の手で絞ったまま他方の手で紐体を掛けて縛る作業は手間を要しており、より使い勝手に優れるゴミ収納袋が望まれていた。
【先行技術文献】
【特許文献】
【０００５】
【特許文献１】特開２００７−２８４２３３号公報
【発明の概要】
【発明が解決しようとする課題】
【０００６】
本発明が解決しようとする課題は、従来のこれらの問題点を解消し、残飯等の生ゴミであっても手を汚しにくく、容易に且つ確実に閉じることができるようにすることにある。
【課題を解決するための手段】
【０００７】
かかる課題を解決した本発明の構成は、
１）  袋の開口部に近い位置の表面側及び裏面側に横方向の切れ目をそれぞれ設けて手提げ部を形成し、その手提げ部の片側又は両側の端部に手で切断又は切除して手提げ部の片側を袋の側縁から切り離すことができる切り離し部を設け、さらにその片側又は両側の切り離し部の下方に手で切断又は切除して前記切り離し部で切り離した手提げ部の切離し端部を通すことができる通し部を設けた、収納袋
２）  切り離し部が、ミシン目、又は切れ目、又はミシン目で一部を切り取り可能にしたものである、前記１）記載の収納袋
３）  通し部が、通し穴、又はミシン目、又は切れ目、又はミシン目で一部を切り取って通し穴にできるものである、前記１）又は２）記載の収納袋
４）  手提げ部を形成する切れ目の両端部にその切れ目と連通する円状の切抜部を形成した、前記１）〜３）いずれか記載の収納袋
５）  ２本の手提げ部が重なっている同じ位置に開口部を開きやすくする小穴をそれぞれ形成した、前記１）〜４）いずれか記載の収納袋
６）  前記１）〜５）いずれか記載の収納袋が、ゴミの収納に用いられるものである、ゴミ収納袋
にある。
【発明の効果】
【０００８】
本発明によれば、ゴミ又は物品を入れて閉じない状態で持ち運ぶ際は、手提げ部を袋から引き離して持つ。開口部を閉じる場合は、切り離し部で手提げ部の片側を切り離し、その手提げ部の切離し端部を通し部に通して引っ張ると、開口部が手提げ部によって自然に絞られて閉じられる。よって、従来技術のように開口部の縁を強く引っ張ったり片手で縛るような作業が不要となり、容易に閉じることができるようになる。また、閉じた部分は隙間が生じにくいから、生ゴミ等であっても手を汚しにくくなり、衛生的に取り扱えるようになる。
【図面の簡単な説明】
【０００９】
【図１】実施例の収納袋の正面図である。
【図２】実施例の収納袋の手提げ部の説明図である。
【図３】実施例の収納袋の閉じる工程を示す説明図である。
【図４】実施例のゴミ箱に取り付けた収納袋の閉じる工程を示す説明図である。
【図５】実施例の他の例の収納袋の正面図である。
【図６】実施例の他の例の収納袋の正面図である。
【図７】実施例の他の例の収納袋の正面図である。
【発明を実施するための形態】
【００１０】
本発明の袋としては、ポリエチレン等のフィルム状の合成樹脂で構成され、生ゴミの収納に用いるものは水切り用の通水穴が開口されたものでも良い。切り離し部としては、ミシン目、又は切れ目、又はミシン目で一部を切り取り可能にしたものがあり、求める使い勝手や加工コスト等に応じて任意に選ばれる。通し部としては、通し穴、又は切れ目、又はミシン目で一部を切り取って通し穴にできるものがあり、求める使い勝手や加工コスト等に応じて任意に選ばれる。
【００１１】
また、切れ目の両端部に切れ目と連通する円状の切抜部を形成すると、手提げ部の使用中にゴミが重くて手提げ部の両端部に力が加わっても、円状の切抜穴によってそれ以上に裂けることがなく、耐久性に優れるものとなる。さらに、２本の手提げ部が重なっている同じ位置に小穴を形成すると、その小穴に２本の指をそれぞれ外側から当てて双方を擦ることで、その摩擦によって使用前の閉じている開口部が開きやすくなり、より使いやすいものとなる。小穴の位置は手提げ部の中間部や端部など、どの位置でも良い。以下、本発明の各実施例を図面に基づいて具体的に説明する。
【実施例】
【００１２】
収納袋１は、図１に示すように、開口部に近い位置の表面側及び裏面側に横方向の切れ目２ａを設けて手提げ部２を形成し、その手提げ２の片側位置にミシン目３ａを設けて切取部３を形成し、さらにその切取部３の下方位置にミシン目４ａを設けて切取部４ｂを形成している。また、切れ目２ａの両端部には切れ目２ａと連通する円状の切抜部２ｂを形成し、２本の手提げ部２が重なっている同じ位置には小穴５を形成している。
【００１３】
使用する際は、２本の手提げ部２が重なっている状態の小穴５に２本の指をそれぞれ外側から当てて双方を擦ると、その摩擦によって使用前の閉じている開口部が開きやすくなる。ゴミ又は物品を入れて閉じない状態で持ち運ぶ際は、図２に示すように、手提げ部２を袋から引き離して持つ。このとき、ゴミが重くて手提げ部２の両端部に力が加わっても、円状の切抜部２ｂによってそれ以上に裂けることがない。
【００１４】
開口部を閉じる場合は、図３（ａ）に示すように、切取部３をミシン目３ａに沿って切り取り、手提げ部２の片側を引っ張ると、袋から切り離される。また、切取部４ｂをミシン目４ａに沿って切り取り、通し穴４を形成する。そして、図３（ｂ）に示すように、この通し穴４に手提げ部２の切離し端部を内側から通して引っ張ると、図３（ｃ）に示すように、開口部が手提げ部２によって自然に絞られて容易に閉じることができ、従来技術のような強い力で引っ張ったり片手で縛るような作業が不要となる。手提げ部２の切離し端部は通し穴４から外れないように適宜結んでおく。閉じた部分は隙間が生じにくいから、生ゴミ等であっても手を汚しにくい。また、収納した物が少量の場合は、手提げ部２をさらに引っ張ることで袋の上部が収縮し、収納量に応じた大きさにできる。
【００１５】
図４に示すのは、実施例の収納袋１をゴミ箱６に取り付けた例である。この例では、収納袋１をゴミ箱６の中に配置するとともに、その収納袋１の開口部の部分を反転させてゴミ箱６の上端部に被せる。閉じる場合は、図４（ａ）に示すように、切取部３を切り取って手提げ部２の片側を袋から切り離すとともに、切取部４ｂを切り取って通し穴４を形成し、その通し穴４に手提げ部２の切離し端部を通し、図４（ｂ）に示すように、手提げ部２を引っ張って開口部を閉じる。その後は、手提げ部２をさらに引っ張ることでゴミ箱６から容易に引き抜いて取り出すことができる。
【００１６】
図５に示すのは、実施例の収納袋１の切り離し部と通し部の他の例である。この例では、手提げ部２の両側位置にミシン目３ａを設けて切取部３をそれぞれ形成し、その両側の切取部３の下方位置にミシン目４ａを設けてそれぞれ切取部４ｂを形成しており、左右いずれかの任意の切取部３，４ｂを切り取って閉じることができるようにしている。その他、符号、構成、作用効果は実施例と同じである。
【００１７】
図６に示すのは、実施例の収納袋１の切り離し部の他の例である。この例は、ミシン目３ａの切抜部２ｂ側に切れ目３ｂを形成し、手提げ部２の切り離し時に切れ目３ｂによって切抜部２ｂの方向へ正確に裂けて切り離しできるようにしている。その他、符号、構成、作用効果は実施例と同じである。
【００１８】
図７に示すのは、実施例の収納袋１の切り離し部と通し部の他の例である。図７（ａ）〜（ｃ）に示すのは、ミシン目３ａ又はミシン目４ａあるいは双方を直線状に形成し、一部を切り取ることなく手提げ部２の切り離しや通しができるようにした様々な例である。ミシン目４ａの内側端部にはミシン目４ａと連通する円状の切抜部４ｄを設け、ミシン目４ａの切断時や手提げ部２の通し時に裂けないようにしている。図７（ｄ）に示すのは、ミシン目４ａに代えて切れ目４ｃにした例である。この例も前記と同様に、切れ目４ｃの内側端部に切れ目４ｃと連通する円状の切抜部４ｄを設け、手提げ部２の通し時に裂けないようにしている。この他、様々な組み合わせが可能で、これらの例に限定されるものではない。その他、符号、構成、作用効果は実施例と同じである。
【産業上の利用可能性】
【００１９】
本発明の技術は、可燃物や不燃物等の一般ゴミ用のゴミ袋、シンクのコーナーのゴミ箱に取り付けて残飯等を収納する水切り穴付きのゴミ袋、店舗で商品の収納に用いるレジ袋などに幅広く応用でき、特に手を汚しやすい生ゴミ等の収納に有用である。
【符号の説明】
【００２０】
１    収納袋
２    手提げ
２ａ  切れ目
２ｂ  切抜部
３    切取部
３ａ  ミシン目
３ｂ  切れ目
４    通し穴
４ａ  ミシン目
４ｂ  切取部
４ｃ  切れ目
４ｄ  切抜部
５    小穴
６    ゴミ箱
【図１】
2014019515.tif 000003
【図２】
2014019515.tif 000004
【図３】
2014019515.tif 000005
【図４】
2014019515.tif 000006
【図５】
2014019515.tif 000007
【図６】
2014019515.tif 000008
【図７】
2014019515.tif 000009